(57)【要約】【課題】  巣の撤去時及び運搬時を通じて、営巣材を飛散又は落下させない営巣材撤去具を提供する。【解決手段】  構造物の高所に形成された巣を撤去するのに用いられる営巣材撤去具であって、長尺状に形成され、長手方向に伸縮可能な支柱部と、可撓性を有し、長尺状に形成され、一端側が支柱部の一端側に回動自在に支持されることで、他端側が支柱部の他端側に対して接離可能に設けられる複数の骨部と、それぞれ隣合う骨部間を覆うように、複数の骨部に取り付けられるシート状の被覆部と、複数の骨部の他端側のそれぞれに取り付けられる紐状部と、支柱部の他端側に設けられ、紐状部を挿通する挿通孔を有し、挿通孔において紐状部を係止可能な係止部とを備える。【選択図】  図１
2014140275.tif 000002
【特許請求の範囲】
【請求項１】
構造物の高所に形成された巣を撤去するのに用いられる営巣材撤去具であって、
長尺状に形成され、長手方向に伸縮可能な支柱部と、可撓性を有し、長尺状に形成され、一端側が支柱部の一端側に回動自在に支持されることで、他端側が支柱部の他端側に対して接離可能に設けられる複数の骨部と、それぞれ隣り合う骨部間を覆うように、複数の骨部に取り付けられるシート状の被覆部と、複数の骨部の他端側のそれぞれに取り付けられる紐状部と、支柱部の他端側に設けられ、紐状部を挿通する挿通孔を有し、挿通孔において紐状部を係止可能な係止部とを備えることを特徴とする営巣材撤去具。
【請求項２】
骨部の他端側先端に、構造物に骨部を固定可能な固定部を有する請求項１に記載の営巣材撤去具。
【請求項３】
被覆部は、隣り合う骨部間の距離を可変とすべく骨部に取り付けられることを特徴とする請求項１又は２に記載の営巣材撤去具。
【請求項４】
紐状部は、長手方向に沿って所定の間隔で径を太くした膨大部を有し、挿通孔は、膨大部を挿通可能な第１挿通孔と、第１挿通孔に連設され、膨大部を挿通不能な第２挿通孔を有する請求項１乃至３のいずれか一項に記載の営巣材撤去具。
【発明の詳細な説明】
【技術分野】
【０００１】
本発明は、営巣材撤去具に関し、特に、構造物の高所に形成された巣を撤去するのに用いられる営巣材撤去具に関する。
【背景技術】
【０００２】
送電線の鉄塔上部等の高所に営巣された鳥類の巣は、停電事故防止のために速やかに撤去される必要がある。巣の撤去作業においては、撤去する営巣材（木の枝、羽根、植物のつる、金属、土等）の飛散防止対策及び撤去後の営巣材を収納するための袋等が必要となる。
【０００３】
現状、営巣材の撤去には、営巣材の飛散防止としてビニールシート等を利用している。しかしながら、ビニールシート等は、巣を撤去する際に平坦に広げられた状態で利用されるため、特に構造物の高所等では、風の影響により波打つことがあった。このため、ビニールシート上に撤去された営巣材が、飛散又は落下することがあった。そこで、傘状に展開することで風の影響を排除し、営巣落下物を確実に取得する営巣落下物取得装置が知られている（例えば、特許文献１）。
【先行技術文献】
【特許文献】
【０００４】
【特許文献１】特開２０１１−１３５７４４号公報
【発明の概要】
【発明が解決しようとする課題】
【０００５】
特許文献１に係る落下物取得装置は、高所への運搬が容易であり、巣の撤去時に営巣材を飛散又は落下させないという点で非常に有用である。さらに、巣の撤去時及び運搬時を通じて、営巣材を飛散又は落下させないことはより有用である。
【０００６】
本発明は、斯かる事情に鑑み、巣の撤去時及び運搬時を通じて、営巣材を飛散又は落下させない営巣材撤去具を提供することを課題とする。
【課題を解決するための手段】
【０００７】
本発明に係る営巣材撤去具は、構造物の高所に形成された巣を撤去するのに用いられる営巣材撤去具であって、長尺状に形成され、長手方向に伸縮可能な支柱部と、可撓性を有し、長尺状に形成され、一端側が支柱部の一端側に回動自在に支持されることで、他端側が支柱部の他端側に対して接離可能に設けられる複数の骨部と、それぞれ隣り合う骨部間を覆うように、複数の骨部に取り付けられるシート状の被覆部と、複数の骨部の他端側のそれぞれに取り付けられる紐状部と、支柱部の他端側に設けられ、紐状部を挿通する挿通孔を有し、挿通孔において紐状部を係止可能な係止部とを備える。
【０００８】
本発明に係る営巣材撤去具によれば、鉄塔等である構造物の高所に形成された巣を撤去するに際し、各骨部を支柱部側にまとめた状態で運搬される。具体的に、支柱部は、伸張された状態にされる。紐状部は、係止部の挿通孔内を支柱部の一端側から他端側へ挿通孔内を摺動する。これにより、骨部の一端側は、支持部の一端側に対して回動される。骨部の他端側は、支持部の他端側（係止部）に近接される。すなわち、骨部の長手方向は、支柱部の軸方向に沿う方向に向けられる。上記換言すれば、営巣材撤去具は、いわゆる傘を畳んだ状態で運搬される。
【０００９】
そして、営巣材撤去具は、構造物の高所における設置位置において、いわゆる傘を開いた状態で設置される。具体的に、支柱部は、伸張された状態のままにされる。紐状部は、係止部の挿通孔内を支柱部の他端側から一端側へ向けて摺動する。これにより、骨部の一端側は、支持部の一端側に対して回動される。骨部の他端側は、支柱部の他端側（係止部）から離間される。被覆部は、隣り合う骨部間を覆っているので、袋を開いた状態にされる。紐状部は、挿通孔において係止されることで、袋を開いた状態に被覆部を維持される。骨部は、可撓性を有することから、鉄塔等の構造物の形状に合わせて曲げ利用される。
【００１０】
これにより、鉄塔等の構造物の形状に合わせて被覆部を展開することができ、ひいては被覆部と鉄塔等の構造物との間の隙間を作らずに設置することができる。例えば、鉄塔の角部の内側に営巣材撤去具を設置する場合、鉄塔の構造物に沿って被覆部を展開できるので、鉄塔の構造物と被覆部との間から営巣材が落下することを防止できる。
【００１１】
被覆部上に撤去された営巣材が置かれた後、紐状部が、支柱部の一端側から他端側へ向けて挿通孔内を摺動する。骨部の一端側は、支柱部の一端側に対して回動される。骨部の他端側は、支柱部の他端側（係止部）に近接される。このとき、被覆部上には撤去された営巣材が置かれているので、骨部は、営巣材の存在により撓む。具体的に、骨部は、撤去された営巣材の形状に合わせ、支柱部の径外方向に向けて円弧状に撓む。支柱部は、骨部の撓みに合わせて長手方向に収縮される。被覆部は、隣り合う骨部間を覆うので、支柱部の一端側を底、支柱部の他端側を開口とする袋状に形成される。紐状部は、挿通孔において係止されることで、袋状にした状態に被覆部を維持する。また、係止部は、紐状部により骨部の他端部と近接又は当接するので、被覆部の開口を塞ぐ蓋として機能する。これにより、営巣材撤去具は、巣の撤去位置から地上までの運搬の間、営巣材の地上への落下を防止する。
【００１２】
また、本発明に係る営巣材撤去具は、骨部の他端側先端に、構造物に骨部を固定可能な固定部を有してもよい。
【００１３】
かかる構成によれば、骨部の他端側先端が鉄塔等の構造物に固定されるので、営巣材撤去具を構造物に対して安定して設置することができる。
【００１４】
また、本発明に係る営巣材撤去具において、被覆部は、隣り合う骨部間の距離を可変とすべく骨部に取り付けられてもよい。
【００１５】
かかる構成によれば、被覆部が、隣り合う骨部間の距離を可変することができるので、骨部の可撓性を高めることができる。
【００１６】
また、本発明に係る営巣材撤去具において、紐状部は、長手方向に沿って所定の間隔で径を太くした膨大部を有し、挿通孔は、膨大部を挿通可能な第１挿通孔と、第１挿通孔に連設され、膨大部を挿通不能な第２挿通孔を有してもよい。
【００１７】
かかる構成によれば、紐状部が、第１挿通孔の位置に置かれることで、第１挿通孔は、膨大部を挿通することができる。これにより、紐状部は、挿通孔内を自由に移動することができる。一方、紐状部が、第２挿通孔の位置に置かれることで、第２挿通孔は、膨大部を挿通することができない。これにより、紐状部は、第２挿通孔の端部と膨大部との係止により、膨大部の位置以上、挿通孔内を自由に移動することができない。したがって、膨大部及び第２挿通孔は、紐状部の係止手段として機能する。これにより、営巣材撤去具の設置位置において、骨部及び被覆部を支柱部から自由に離間させることができるとともに、決定された、骨部及び被覆部の支柱部からの離間距離で、骨部及び被覆部を固定することができる。
【発明の効果】
【００１８】
以上の如く、本発明に係る営巣材撤去具によれば、巣の撤去時及び運搬時を通じて、営巣材を飛散又は落下させないというすぐれた効果を奏する。
【図面の簡単な説明】
【００１９】
【図１】本発明の一実施形態に係る営巣材撤去具を示し、図１（ａ）は、営巣材撤去具の側面図、図１（ｂ）は、営巣材撤去具の概略断面図を示す。
【図２】同実施形態に係る営巣材撤去具の骨部が展開された状態の概略断面図を示す。
【図３】同実施形態に係る営巣材撤去具の展開された骨部及び被覆部の平面図を示す。
【図４】同実施形態に係る営巣材撤去具の挿入孔及び紐状部の部分拡大図を示す。
【図５】同実施形態に係る営巣材撤去具の設置例を示し、図５（ａ）は、営巣材撤去具を鉄塔に設置した際の概略側面図、図５（ｂ）は、図５（ａ）におけるＡ−Ａ断面図を示す。
【図６】同実施形態に係る営巣材を内部に収納した営巣材撤去具の概略断面図を示す。
【図７】同実施形態に係る営巣材撤去具の挿入孔の他の例を示し、図７（ａ）は、挿入孔の他の例の要部拡大図、図７（ｂ）は、挿入孔のさらに他の例の要部拡大図を示す。
【図８】同実施形態に係る営巣材撤去具の係止部の他の例の要部拡大図を示す。
【発明を実施するための形態】
【００２０】
以下、本発明に係る営巣材撤去具における一実施形態について、図１〜図６を参照して説明する。
【００２１】
本実施形態に係る営巣材撤去具１は、図１（ａ）、図１（ｂ）及び図２に示すように、高所に形成された巣を撤去するのに用いられる営巣材撤去具１であって、長尺状に形成され、長手方向に伸縮可能な支柱部１０と、可撓性を有し、長尺状に形成され、一端側が支柱部１０の一端側に回動自在に支持されることで、他端側が支柱部１０の他端側に対して接離可能に設けられる複数の骨部２０と、それぞれ隣り合う骨部２０間を覆うように、複数の骨部２０に取り付けられるシート状の被覆部３０と、複数の骨部２０の他端側のそれぞれに取り付けられる紐状部４０と、支柱部１０の他端側に設けられ、紐状部４０を挿通する挿通孔を有し、挿通孔において紐状部４０を係止可能な係止部５０とを備える。
【００２２】
支柱部１０は、その一端側に設けられる長尺状の第１支柱部１０１と、その他端側に設けられる第２支柱部１０２と、一端側の先端に設けられるフック保持部１０４と、一端側の周面に設けられ、骨部２０の一端側に連結される突起部１０５とを有する。支柱部１０は、全体として剛性を有し、例えば、金属で形成される。
【００２３】
第１支柱部１０１は、筒状且つ長尺状に形成される。また、第１支柱部１０１は、第２支柱部１０２を内部に収納可能な内径を有する。第１支柱部１０１は、一端側の先端でフック保持部１０４に接続される。第１支柱部１０１は、他端側先端で、第２支柱部１０２に接続される。第１支柱部１０１は、筒状内部に長手方向に付勢するバネ（図示しない）を有し、他端側から一端側に収納される第２支柱部１０２の端部を、一端側から他端側、即ち、第２支柱部１０２を内部から外部へと突出する方向に付勢する。第１支柱部１０１は、他端側先端に、第２支柱部１０２を係止して抜け止めする図示しない抜け止め部を有する。
【００２４】
第２支柱部１０２は、長尺状に形成され、円柱状又は直方体状に形成される。また、第２支柱部１０２は、筒状である第１支柱部１０１の内径よりも小さい径又は幅を有し、第１支柱部１０１の内部に収納可能に形成されている。第２支柱部１０２の一端側は、第１支柱部１０１に接続される。
【００２５】
フック保持部１０４は、第１支柱部１０１の一端側先端に取り付けられ、環状に形成される。フック保持部１０４は、紐状部４０を支柱部１０の長手方向に沿う方向に纏めて保持すべく設けられる。
【００２６】
突起部１０５は、骨部２０を第１支柱部１０１に連結すべく、第１支柱部１０１の一端側の周面に設けられる。突起部１０５は、例えば板状に形成され、骨部２０の数に応じて設けられる。突起部１０５は、その厚さ方向を、第１支柱部１０１の周方向に合わせて設けられる。突起部１０５は、その先端側に、第１支柱部１０１の周方向に向けて貫通した、骨部２０と連結するための図示しない孔部を有する。
【００２７】
骨部２０は、可撓性を有する部材で、長尺状に形成される骨部本体２０１と、骨部本体２０１の一端側と突起部１０５とを回動自在に連結する軸部２０２と、骨部本体２０１の他端側と紐状部４０とを連結する連結部２０３と、骨部本体２０１の他端側先端に設けられ、構造物の高所に骨部２０を固定可能な固定部２０４とを有する。骨部２０は、全体として、可撓性を有し、外部からの力に応じて可撓自在に構成される。
【００２８】
骨部本体２０１は、例えば、ゴム等の可撓性材料で、長尺状に形成される。より好ましくは、骨部本体２０１は、ゴム等の可撓性材料で、円弧状に形成される。骨部本体２０１は、第１支柱部１０１の周方向を囲うように複数配置され、内径側の面を第１支柱部１０１及び第２支柱部１０２に対して対向させるように配置される。例えば、骨部本体２０１は、第１支柱部１０１の周方向に、等間隔で８本配置され、８本の骨部本体２０１のそれぞれは、支柱部１０の径方向で対向する骨部本体２０１に対して内径側の面を対向するように配置される。また、それぞれの骨部本体２０１は、その一端側に、内径側の面に平行な軸を有する、骨部２０と連結するための図示しない孔部を有する。
【００２９】
軸部２０２は、突起部１０５の図示しない孔部と、骨部本体２０１の一端側の図示しない孔部に挿通されることで、突起部１０５に対して骨部本体２０１を回動自在に連結する。軸部２０２は、突起部１０５に対して骨部本体２０１を回動自在に連結することで、支柱部１０の他端側と骨部本体２０１の他端側とを接離可能に連結する。例えば、軸部２０２は、ボルト及びナットで構成され、突起部１０５に設けられる図示しない孔部と骨部本体２０１の一端側に設けられる図示しない孔部とにボルトを挿通し、挿通したボルトをナットで締め付ける。これにより、軸部２０２は、突起部１０５と第１支柱部１０１の一端側とを、自身の軸を中心として回動自在に連結する。
【００３０】
連結部２０３は、骨部本体２０１の他端側において、紐状部４０にかかる力を骨部本体２０１に伝えるべく設けられる。連結部２０３は、例えば、ネジであり、紐状部４０を骨部本体２０１の他端側に連結する。
【００３１】
固定部２０４は、例えば、磁石や一時貼付可能な粘着性物質が塗布された部材であり、骨部本体２０１の一端側先端を、鉄塔等の構造物の高所に固定すべく設けられる。複数の骨部本体２０１のそれぞれに設けられる固定部２０４のそれぞれ又は一部が、構造物に骨部本体２０１を固定することで、骨部本体２０１を構造物の形状に合わせて可撓させる。
【００３２】
被覆部３０は、例えば、ビニールや布等でシート状に形成される。被覆部３０は、それぞれ隣り合う骨部本体２０１間を覆うように、骨部本体２０１に取り付けられる。具体的に、被覆部３０は、骨部本体２０１の支柱部１０に対向する面と逆の面に取り付けられることで、それぞれ隣り合う骨部本体２０１間を覆う。また、被覆部３０は、隣り合う骨部本体２０１の間で、図３に示すように、折目３０１，３０２，３０３で折り畳み可能に構成される。具体的に、被覆部３０は、谷折りである折目３０１、山折りである折目３０２及び谷折りである折目３０３で折り畳み可能に構成される。これにより、図１（ａ）に示すように、被覆部３０は、持ち運ばれる状態では折り畳まれることでコンパクトにされ、図２に示すように展開される（広げられる）状態では、撤去される巣の営巣材を広い面積で受けることができる。また、被覆部３０は、骨部本体２０１の撓みに応じて、折目３０１，３０２，３０３の折れ度合いを変更可能になっており、これにより、被覆部３０は、骨部本体２０１の撓みに応じて広がり具合を変更可能となり、骨部本体２０１の可撓性の自由度を担保する。すなわち、被覆部３０は、骨部本体２０１の撓みによって隣り合う骨部本体２０１間の距離が変更されるのを許容する裕度を有して骨部本体２０１に取り付けられる。
【００３３】
紐状部４０は、係止部５０に挿通される紐状部本体４０１と、紐状部本体４０１の一端側に設けられるフック部４０２とを有する。
【００３４】
紐状部本体４０１は、骨部２０の数と同数設けられる。紐状部本体４０１は、一端側でフック部４０２に接続され、他端側で、複数の骨部本体２０１の他端側にそれぞれ接続される。例えば、紐状部本体４０１のそれぞれは、一端側でフック部４０２に接続され、他端側で、８本の骨部本体２０１の他端側にそれぞれ接続される。紐状部本体４０１は、係止部５０と連結部２０３との間の距離をより短くするように、係止部５０の挿通孔を摺動することで、図１（ａ）及び図１（ｂ）に示すように、支柱部１０の他端側と骨部２０の他端側とを近接させる。これにより、紐状部本体４０１は、被覆部３０を袋状にして、持ち運び可能な状態とする。
【００３５】
一方、紐状部本体４０１は、係止部５０と連結部２０３との間の距離をより長くすることで、図２に示すように、支柱部１０の他端側と骨部２０の他端側とを離間させる。これにより、紐状部本体４０１は、被覆部３０を展開して、撤去した巣の営巣材を受けることができる状態とする。なお、紐状部本体４０１は、係止部５０と連結部２０３との間の距離を最大にしたとしても、骨部本体２０１の他端側が係止部５０と軸部２０２との間の高さ位置に位置する程度の長さであるのが好ましい。これにより、紐状部本体４０１は、可撓性を有する骨部本体２０１を、支柱部１０の一端側から他端側に向けて円弧状に撓んだ状態で維持する。
【００３６】
また、紐状部本体４０１は、図４に示すように、長手方向に沿って所定の間隔で径を太くした膨大部４０３を有する。より詳しくは、紐状部本体４０１は、長手方向に沿って所定の間隔で径外方向に紐状部本体４０１の周面から突出する。
【００３７】
フック部４０２は、紐状部本体４０１の一端側に接続される。また、フック部４０２は、フック保持部１０４に着脱自在に構成される。具体的に、フック部４０２は、持ち運び時、フック保持部１０４に取り付けられることで、紐状部本体４０１に持ち運び用の紐としての機能を持たせる。一方、フック部４０２は、展開時、フック保持部１０４から取り外されることで骨部２０及び被覆部３０を展開可能とするとともに、構造物に営巣材撤去具１全体を吊り下げるためのフックとして利用される。
【００３８】
係止部５０は、図４に示すように、紐状部本体４０１を挿通する挿通孔５０１を有する。係止部５０は、支柱部１０の他端側に設けられ、円盤状に形成される。挿通孔５０１は、係止部５０の厚さ方向に貫通する。また、挿通孔５０１は、骨部２０及び紐状部本体４０１の数と同数、即ち、本実施形態においては８つ設けられる。
【００３９】
挿通孔５０１は、より径の大きい第１挿通孔５０２と、より径の小さい第２挿通孔５０３とを有する。第１挿通孔５０２と、第２挿通孔５０３とは連設されて設けられる。
【００４０】
第１挿通孔５０２は、紐状部本体４０１を挿通可能であるとともに、膨大部４０３を挿通可能な径で形成される。第１挿通孔５０２は、紐状部本体４０１及び膨大部４０３を挿通可能であることで、骨部２０と支柱部１０とのなす角度を調整する際に利用される。
【００４１】
第２挿通孔５０３は、係止部５０の径外方向で第１挿通孔５０２に連設される。第２挿通孔５０３は、紐状部本体４０１を挿通可能であるが、膨大部４０３を挿通不能な径で形成される。第２挿通孔５０３は、膨大部４０３を挿通不能であることで、その開口端で膨大部４０３を係止する。これにより、第２挿通部５０３は、骨部２０と支柱部１０とのなす角度を固定する際に利用される。
【００４２】
本実施形態に係る営巣材撤去具１の構成については以上の通りであり、次に、本実施形態に係る営巣材撤去具１の作用について説明する。
【００４３】
まず、図１（ａ）及び図１（ｂ）に示すように、営巣材撤去具１は、骨部２０及び被覆部３０を折り畳んだ状態で高所にある巣の位置まで運搬される。このとき、紐状部本体４０１が支柱部１０の一端側から他端側に向けて引かれた状態で運搬されることで、骨部２０は、その他端側を支柱部１０の他端側に近接した状態に維持される。また、被覆部３０は、折り畳まれた状態に維持される。
【００４４】
営巣材撤去具１が巣の位置まで持ち運ばれると、フック部４０２は、フック保持部１０４から取り外される。そして、紐状部本体４０１は、係止部５０の第１挿通孔５０２側を挿通する位置に移動される。これにより、紐状部本体４０１は、係止部５０の第１挿通孔５０２内を摺動可能になる。
【００４５】
紐状部本体４０１は、係止部５０と連結部２０３との間の距離を長くするように、第１挿通孔５０１内を摺動することで、図３に示すように、骨部２０及び被覆部３０を展開する。そして、紐状部本体４０１が第２挿通孔５０３に位置されることで、骨部２０及び被覆部３０は、展開した状態で固定される。このとき、複数の骨部２０の他端側のそれぞれは、支柱部１０を中心として放射状に広がるように、紐状部本体４０１に張力を与える。すなわち、複数の骨部２０の他端側のそれぞれは、支柱部１０を中心として、紐状部本体４０１を係止部５０の径外方向へ付勢するように、紐状部本体４０１に張力を与える。これにより、紐状部本体４０１は、第１挿通孔５０２から第２挿通孔５０３へ向かう方向に付勢されるので、膨大部４０３は、第２挿通孔５０３の開口（端部）に係止され、その状態で維持される。したがって、膨大部４０３及び第２挿通孔５０３は、紐状部４０の係止手段として機能する。
【００４６】
この状態で、フック部４０２は、構造物の高所に取り付けられる。これにより、例えば、図５（ａ）に示すように、営巣材撤去具１は、構造物の高所に取り付けられる。より具体的に、フック部４０２は、構造物の高所にある鉄骨２１に取り付けられる。これにより、営巣撤去具１は、構造物の高所にある鉄骨２１に取り付けられる。
【００４７】
固定部２０４は、構造物の高所に固定される。より詳しくは、複数の骨部２０に設けられた固定部２０４のそれぞれ又は一部は、構造物の高所に固定される。例えば、図５（ｂ）に示すように、固定部２０４ａ，２０４ｂ，２０４ｃ，２０４ｄ，２０４ｅが、鉄骨２２，２３の角部の形状に合わせて固定される。
【００４８】
骨部本体２０１は、構造物の形状に合わせて撓む。例えば、図５（ｂ）に示すように、骨部本体２０１ｂ，２０１ｄが、鉄骨２２，２３の角部の形状に合わせて撓む。被覆部３０は、骨部本体２０１ｂ，２０１ｄの撓みに対応して、折目３０１，３０２，３０３で折り曲げられ又は伸ばされる。これにより、被覆部３０の端部は、構造物と隙間を作ることなく密接する。
【００４９】
この状態で、被覆部３０は、撤去された巣の営巣材を受ける。巣が撤去された後、フック部４０２は、構造物から取り外される。そして、紐状部４０１は、第１挿通孔５０２の位置に移動され、フック部４０２を係止部５０から離間する方向に第１挿通孔５０２内を摺動する。これにより、紐状部本体４０１は、連結部２０３を介して、骨部本体２０１の他端側を支柱部１０の他端側に近接させる。骨部本体２０１の他端側が支柱部１０の他端側に近接することで、被覆部３０は、折り畳まれて、袋状にされる。
【００５０】
図６に示すように、被覆部３０は、袋状にされることで内部に撤去された営巣材Ｘを内包する形状となる。骨部本体２０１は、営巣材Ｘの形状に合わせて第２支柱部１０２の径外方向に撓む。紐状部本体４０１が骨部本体２０１の他端縁を係止部５０に近接又は当接するように第１挿通孔５０２内を移動することで、第１支柱部１０１は、第２支柱部１０２の内部に押し込まれる。したがって、被覆部３０は、開口部を係止部５０で閉じられた状態となる。これにより、営巣材撤去具１は、営巣材の運搬においても、営巣材Ｘを落下又は飛散させない。
【００５１】
以上より、本実施形態に係る営巣材撤去具１は、構造物の高所に形成された巣を撤去するのに用いられる営巣材撤去具１であって、長尺状に形成され、長手方向に伸縮可能な支柱部１０と、可撓性を有し、長尺状に形成され、一端側が支柱部１０の一端側に回動自在に支持されることで、他端側が支柱部１０の他端側に対して接離可能に設けられる複数の骨部２０と、それぞれ隣り合う骨部２０間を覆うように、複数の骨部２０に取り付けられるシート状の被覆部３０と、複数の骨部２０の他端側のそれぞれに取り付けられる紐状部４０と、支柱部１０の他端側に設けられ、紐状部４０を挿通する挿通孔５０１を有し、挿通孔５０１において紐状部４０を係止可能な係止部５０とを備える。
【００５２】
かかる構成によれば、営巣材撤去具１を運搬する際には、被覆部３０が袋状に折り畳まれるので、営巣材撤去具１の運搬を容易にするとともに、撤去した巣の営巣材Ｘを落下又は飛散させずに運搬できる。一方、営巣材撤去具１を設置する際には、骨部２０が構造物に合わせて撓むので、構造物に合わせて営巣材撤去具１を設置することができ、営巣材Ｘを落下又は飛散させずに巣を撤去することができる。
【００５３】
また、本実施形態に係る営巣材撤去具１は、骨部２０の他端側先端に、構造物に骨部２０を固定可能な固定部２０４を有する。
【００５４】
これにより、骨部２０の他端側先端が鉄塔等の構造物に固定されるので、営巣材撤去具１を構造物に対して安定して設置することができる。
【００５５】
また、本実施形態に係る営巣材撤去具１において、被覆部３０は、隣り合う骨部２０間の距離を可変とすべく骨部２０に取り付けられる。
【００５６】
これにより、被覆部３０が、隣り合う骨部２０間の距離を可変にして骨部２０に取り付けられるので、骨部２０の可撓性を高めることができる。
【００５７】
また、本実施形態に係る営巣材撤去具１において、紐状部４０は、長手方向に沿って所定の間隔で径を太くした膨大部４０３を有し、挿通孔５０１は、膨大部４０３を挿通可能な第１挿通孔５０２と、第１挿通孔５０２に連設され、膨大部を挿通不能な第２挿通孔５０３とを有する。
【００５８】
これにより、紐状部４０が、第１挿通孔５０２の位置に置かれることで、第１挿通孔５０２は、膨大部４０３を挿通することができる。これにより、紐状部４０は、挿通孔５０１内を自由に移動することができる。一方、紐状部４０が、第２挿通孔５０３の位置に置かれることで、第２挿通孔５０３は、膨大部４０３を挿通することができない。これにより、紐状部４０は、第２挿通孔５０３の端部による膨大部４０３との係止により、挿通孔５０１内を自由に移動することができない。したがって、膨大部４０３及び第２挿通孔５０３は、紐状部４０の係止手段として機能する。これにより、営巣材撤去具１の設置位置において、骨部２０及び被覆部３０を支柱部１０から自由に離間させることができるとともに、決定された、骨部２０及び被覆部３０の支柱部１０からの離間距離で、骨部２０及び被覆部３０を固定させることができる。
【００５９】
なお、本発明に係る営巣材撤去具１は、上記した実施の形態に限定されるものではなく、本発明の要旨を逸脱しない範囲内において種々変更を加え得ることは勿論である。また、下記する各種の変更例に係る構成や方法等を任意に選択して、上記した実施形態に係る構成や方法等に採用してもよいことは勿論である。
【００６０】
例えば、本実施形態に係る営巣材撤去具１においては、第２支柱部１０２の他端部に、営巣材撤去具１を構造物に取り付けるためのフックを有していてもよい。また、このフックは、第２支柱部１０２の他端部から取り外し可能な構成であってもよい。これにより、フック部４０２を利用する場合に限らず、より柔軟な方法で営巣材撤去具１を構造物に取り付けることが可能になる。
【００６１】
また、本実施形態に係る営巣材撤去具１おいては、挿通孔５０１が、第１挿通孔５０２及び第２挿通孔５０３を連設した構成で説明した。これに代わり、図７（ａ）に示すように、挿通孔５０１は、１つの貫通孔で、貫通孔の内面５０４（縁面）にゴム等の摩擦係数の高い素材を有する構成であってもよい。この場合、紐状部本体４０１は、膨大部４０３を有しない構成であってよい。構造物に営巣撤去具１を取り付けるべく、骨部２０及び被覆部３０が展開された際には、紐状部本体４０１の周面は、挿通孔５０１の開口端部に押し付けられる。そして、紐状部本体４０１の周面が内面５０４の端縁に係止されることで、紐状部本体４０１及び挿通孔５０１とが係止手段として機能してもよい。
【００６２】
また、図７（ｂ）に示すように、挿通孔５０１は、上記のように貫通孔の内面５０４にゴム等の摩擦係数の高い素材を有する構成であるとともに、支柱部１０の一端側から他端側に向けて径の細くなる断面テーパ状の構成であってもよい。このようにすることで、紐状部本体４０１は、内面５０４の短径部分で係止され、紐状部本体４０１及び挿通孔５０１とが係止手段として機能してもよい。
【００６３】
また、図８に示すように、係止部５０は、円盤状の第１係止部５１と、第１係止部５１と同径であり、挿通孔５０１の軸位置を一致した状態で第１係止部５１と当接して設けられる第２係止部５２を有していてもよい。第１係止部５１は、支柱部１０に固定され、第２係止部５２は、支柱部１０を軸として回動自在に構成される。紐状部本体４０１が挿通孔５０１に挿通された状態で、第２挿通孔５２が回動されることで、紐状部本体４０１は、第１挿通孔５１及び第２挿通孔５２の境において、かしめられた状態になる。これにより、係止部５０は、紐状部本体４０１を係止することができる。なお、第２挿通孔５２は、紐状部本体４０１をかしめるのに十分な回動位置で、その状態を維持する図示しない維持手段を有しているのが好ましい。また、第２係止部５０２に対して、第１係止部５０が回動する構成としてもよい。
【００６４】
また、本実施形態における営巣材撤去具１において、被覆部３０は、骨部２０から脱着可能な構成であってもよい。例えば、営巣撤去具１が電柱に取り付けられる場合、被覆部３０は、その一部が骨部２０から取り外されることで、電柱の形状に合わせて設置可能となる。
【００６５】
また、本実施形態における営巣撤去具１において、被覆部３０は、折目３０１，３０２，３０３を有する構成とした。これに代わり、被覆部３０は、隣接する２つの骨部本体２０１との間で波状にされてもよい。また、被覆部３０は、例えばゴム性材料等の伸縮性のある材料で形成されてもよい。
【符号の説明】
【００６６】
１      営巣材撤去具
１０    支柱部
２０    骨部
２１，２２    鉄骨
３０    被覆部
４０    紐状部
５０    係止部
１０１  第１支柱部
１０２  第２支柱部
１０４  フック保持部
１０５  突起部
２０１  骨部本体
２０２  軸部
２０３  連結部
３０１，３０２，３０３  折目
４０１  紐状部本体
４０２  フック部
４０３  膨大部
５０１  挿通孔
５０２  第１挿通孔
５０３  第２挿通孔
５０４  内面
【図１】
2014140275.tif 000003
【図２】
2014140275.tif 000004
【図３】
2014140275.tif 000005
【図４】
2014140275.tif 000006
【図５】
2014140275.tif 000007
【図６】
2014140275.tif 000008
【図７】
2014140275.tif 000009
【図８】
2014140275.tif 000010